(57)【特許請求の範囲】
【請求項１】
特定のアカウントの端末から撮像画像を取得し、
前記撮像画像に含まれる対象に基づいて、前記対象に対応する商品を特定し、
前記特定のアカウントに対応付いた地域情報と、特定した前記商品に対応付いた地域情報とが一致するかを判定し、
一致すると判定された場合、前記商品に対応付いた商品の関連ストーリを出力し、一致しないと判定された場合、前記商品に対応付いた商品の関連ストーリと共に、前記商品に対応付いた商品の関連ストーリに類似する関連ストーリであって、前記特定のアカウントに対応付いた地域情報の関連ストーリを出力する、
処理をコンピュータに実行させることを特徴とする関連ストーリ出力制御プログラム。
【請求項２】
前記特定のアカウントの端末から位置情報を取得し、
前記一致しないと判定された場合のうち、前記特定のアカウントに対応付いた国籍情報、取得した前記位置情報に対応する国とが一致しない際は、前記商品に対応付いた商品の関連ストーリと共に、前記商品に対応付いた商品の関連ストーリに類似する関連ストーリであって、前記位置情報に対応する国の関連ストーリを出力する、ことを特徴とする請求項１に記載の関連ストーリ出力制御プログラム。
【請求項３】
前記関連ストーリを出力する処理は、さらに、前記一致すると判定された場合、前記商品に対応づいた類似商品を出力し、前記一致しないと判定された場合、前記商品に対応づいた類似商品であって、前記特定のアカウントに対応付いた地域情報の類似商品を出力する、ことを特徴とする請求項１に記載の関連ストーリ出力制御プログラム。
【請求項４】
前記特定のアカウントの端末から位置情報を取得し、
前記関連ストーリを出力する処理は、前記一致しないと判定された場合のうち、前記特定のアカウントに対応づいた国籍情報、取得した前記位置情報に対応する国とが一致する際は、前記商品に対応付いた国における類似商品を出力する、ことを特徴とする請求項３に記載の関連ストーリ出力制御プログラム。
【請求項５】
特定のアカウントの端末から撮像画像を取得し、
前記撮像画像に含まれる対象に基づいて、前記対象に対応する商品を特定し、
前記特定のアカウントに対応付いた地域情報と、特定した前記商品に対応付いた地域情報とが一致するかを判定し、
一致すると判定された場合、前記商品に対応付いた商品の関連ストーリを出力し、一致しないと判定された場合、前記商品に対応付いた商品の関連ストーリと共に、前記商品に対応付いた商品の関連ストーリに類似する関連ストーリであって、前記特定のアカウントに対応付いた地域情報の関連ストーリを出力する、
処理をコンピュータが実行することを特徴とする関連ストーリ出力制御方法。
【請求項６】
特定のアカウントの端末から撮像画像を取得する取得部と、
前記撮像画像に含まれる対象に基づいて、前記対象に対応する商品を特定する特定部と、
前記特定のアカウントに対応付いた地域情報と、特定した前記商品に対応付いた地域情報とが一致するかを判定する判定部と、
一致すると判定された場合、前記商品に対応付いた商品の関連ストーリを出力し、一致しないと判定された場合、前記商品に対応付いた商品の関連ストーリと共に、前記商品に対応付いた商品の関連ストーリに類似する関連ストーリであって、前記特定のアカウントに対応付いた地域情報の関連ストーリを出力する出力部と、
を有することを特徴とする情報処理装置。
【発明の詳細な説明】
【技術分野】
【０００１】
本発明の実施形態は、関連ストーリ出力制御プログラム、関連ストーリ出力制御方法および情報処理装置に関する。
【背景技術】
【０００２】
近年、日本国内における旅行者は、日本人旅行者以外の外国人旅行者が増加している。このため、日本人旅行者とともに外国人旅行者に対しても、お土産として購入される日本国内の商品を分かり易く説明することへの関心が高まっている。この商品説明を行う技術としては、商品を特定することができる商品関連物をユーザが写した画像から商品を特定し、特定された商品について投稿されたコメントを表示する技術がある。
【先行技術文献】
【特許文献】
【０００３】
【特許文献１】国際公開第２０１２／０９６０１３号
【特許文献２】国際公開第２０１２／０７７４２３号
【特許文献３】特開２０１６−１５１６４号公報
【特許文献４】特開２０１４−３８６０５号公報
【発明の概要】
【発明が解決しようとする課題】
【０００４】
しかしながら、上記の従来技術では、商品に関連する物語・由来などの商品背景をユーザが理解し難いという問題がある。例えば、商品について投稿されたコメントは商品を購入した旅行者のものであることから、コメントから商品背景を理解することは困難である。また、日本国内では馴染みのある物語が商品背景にある商品については、日本人旅行者であればその物語と商品との関係を容易に認識できる場合があるが、日本国についての理解が浅い外国人旅行者には理解することが困難である。
【０００５】
１つの側面では、ユーザに、商品に対する理解を促進する情報を提供することを目的とする。
【課題を解決するための手段】
【０００６】
第１の案では、関連ストーリ出力制御プログラムは、特定のアカウントの端末から撮像画像を取得し、撮像画像に含まれる対象に基づいて、対象に対応する商品を特定する処理をコンピュータに実行させる。また、関連ストーリ出力制御プログラムは、特定のアカウントに対応付いた地域情報と、特定した商品に対応付いた地域情報とが一致するかを判定する処理をコンピュータに実行させる。また、関連ストーリ出力制御プログラムは、一致すると判定された場合、商品に対応付いた商品の関連ストーリを出力する処理をコンピュータに実行させる。また、関連ストーリ出力制御プログラムは、一致しないと判定された場合、商品に対応付いた商品の関連ストーリと共に、商品に対応付いた商品の関連ストーリに類似する、特定のアカウントに対応付いた地域情報の関連ストーリを出力する処理をコンピュータに実行させる。
【発明の効果】
【０００７】
本発明の１実施態様によれば、関連ストーリ出力制御プログラムは、ユーザに、商品に対する理解を促進する情報を提供する。
【図面の簡単な説明】
【０００８】
【図１】図１は、第１の実施形態にかかる情報処理装置の機能構成を例示するブロック図である。
【図２】図２は、アカウント情報を説明する説明図である。
【図３】図３は、商品情報を説明する説明図である。
【図４】図４は、関連ストーリ情報を説明する説明図である。
【図５】図５は、第１の実施形態にかかる情報処理装置の動作例を示すフローチャートである。
【図６】図６は、商品の撮像を説明する説明図である。
【図７】図７は、撮像画像を説明する説明図である。
【図８】図８は、キーワードおよび国との一致度によるストーリおよび類似商品の検索を説明する説明図である。
【図９】図９は、表示画面を説明する説明図である。
【図１０】図１０は、第２の実施形態にかかる情報処理装置の機能構成を例示するブロック図である。
【図１１】図１１は、第２の実施形態にかかる情報処理装置の動作例を示すフローチャートである。
【図１２】図１２は、第３の実施形態にかかる情報処理装置の動作例を示すフローチャートである。
【図１３】図１３は、第４の実施形態にかかる情報処理システムの構成を例示するブロック図である。
【図１４】図１４は、実施形態にかかる情報処理装置、端末装置およびサーバ装置のハードウエア構成の一例を示すブロック図である。
【発明を実施するための形態】
【０００９】
以下、図面を参照して、実施形態にかかる関連ストーリ出力制御プログラム、関連ストーリ出力制御方法および情報処理装置を説明する。実施形態において同一の機能を有する構成には同一の符号を付し、重複する説明は省略する。なお、以下の実施形態で説明する関連ストーリ出力制御プログラム、関連ストーリ出力制御方法および情報処理装置は、一例を示すに過ぎず、実施形態を限定するものではない。また、以下の各実施形態は、矛盾しない範囲内で適宜組みあわせてもよい。
【００１０】
［第１の実施形態］
図１は、第１の実施形態にかかる情報処理装置の機能構成を例示するブロック図である。図１に示すように、情報処理装置１は、取得部１０、商品特定部２０、判定部３０、出力部４０および記憶部５０を有する。情報処理装置１は、例えば、スマートフォン、タブレット型端末などの端末装置を適用できる。
【００１１】
取得部１０は、ログイン認証などにより認証された情報処理装置１を使用するユーザについてのアカウントおよびカメラ１０６ａ（図１４参照）で撮像された撮像画像を取得する。取得部１０が取得したアカウントおよび撮像画像は商品特定部２０、判定部３０および出力部４０へ出力される。
【００１２】
商品特定部２０は、取得部１０が取得した撮像画像に含まれる、商品に対応づいて商品を識別可能とする対象に基づいて、対象に対応する商品を特定する。なお、商品に対応づいた対象は、商品本体の形状、商品のデザインやロゴマーク、商品の名称、商品ごとに付与された商品ＩＤを示すコード情報（バーコードや二次元コードなど）など、商品を識別可能とする対象であればいずれであってもよい。
【００１３】
例えば、商品特定部２０は、公知の画像認識処理により、撮像画像に含まれる商品に対応づいた対象を認識する。次いで、商品特定部２０は、認識した対象をもとに、記憶部５０に記憶された商品情報５２を参照することで、対象に対応する商品を特定する。商品特定部２０による商品の特定結果は判定部３０へ出力される。
【００１４】
判定部３０は、取得部１０が取得したユーザのアカウントについて、記憶部５０に記憶されたアカウント情報５１を参照してアカウントに対応付いた地域情報を求める。また、判定部３０は、商品特定部２０が特定した商品について、記憶部５０に記憶された商品情報５２を参照して商品に対応づいた地域情報を求める。次いで、判定部３０は、アカウントに対応づいた地域情報と、商品に対応づいた地域情報とが一致するか否かを判定する。判定部３０による判定結果は出力部４０へ出力される。
【００１５】
出力部４０は、商品特定部２０により特定された商品についての情報を、判定部３０による判定結果をもとに、記憶部５０に記憶された商品情報５２および関連ストーリ情報５３より読み出してモニタ１０３（図１４参照）などに表示出力する。
【００１６】
具体的には、出力部４０は、判定部３０によりアカウントに対応づいた地域情報と、商品に対応づいた地域情報とが一致すると判定された場合、商品に対応づいた商品に関連する関連ストーリおよび類似商品を商品情報５２より読み出して出力する。また、出力部４０は、判定部３０により一致しないと判定された場合、商品に対応づいた商品の関連ストーリおよび類似商品と共に、商品の関連ストーリであって、アカウントに対応付いた地域情報における関連ストーリを関連ストーリ情報５３より読み出して出力する。
【００１７】
なお、出力部４０における表示出力は、取得部１０が取得したアカウントの地域情報に対応する言語で行われるものとする。例えば、アカウントの地域情報が「日本」である場合、出力部４０は、商品情報５２および関連ストーリ情報５３より読み出した情報を日本語で表示する。また、アカウントの地域情報が「中国」である場合、出力部４０は、商品情報５２および関連ストーリ情報５３より読み出した情報を中国語で表示する。なお、商品情報５２および関連ストーリ情報５３において、アカウントの地域情報に対応する言語の情報がない場合は、機械翻訳で他の言語の情報を訳したものを表示してもよい。
【００１８】
記憶部５０は、アカウント情報５１、商品情報５２および関連ストーリ情報５３を記憶する。アカウント情報５１は、各アカウントについての属性を示す情報である。図２は、アカウント情報５１を説明する説明図である。
【００１９】
図２に示すように、アカウント情報５１には、ユーザを識別する「ユーザＩＤ」ごとに、「ユーザ名」、「国籍」、「性別」…などの属性が示されている。アカウント情報５１を参照することで、アカウントに対応づいた地域（国籍）情報を確認することができる。
【００２０】
なお、アカウント情報５１に示される「国籍」は地域情報の一例であり、地域情報は、アカウントが所属する地域（リージョン）を示すものであればよく、「国籍」に限定しない。例えば、アカウント情報５１において各アカウントに設定された地域情報は、州や群などの国内における地区であってもよいし、中東、アジア、北米などの国を跨ぐ地域であってもよい。
【００２１】
商品情報５２は、各商品において予め設定されている各種の設定情報である。図３は、商品情報５２を説明する説明図である。
【００２２】
図３に示すように、商品情報５２には、商品を識別する「商品ＩＤ」ごとに、「商品名」、「関連するストーリ」、「由来する内容」、「製法」、「国情報」、「原材料」、「認証」、「商品画像」、「類似商品」が設定されている。
【００２３】
「商品ＩＤ」は、商品を識別するためにユニークに割り当てられた識別情報であり、例えばＪＡＮ／ＥＡＮ／ＵＰＣコードなどがある。「商品名」は商品の名称である。「関連するストーリ」は商品に関連するストーリ（物語）である。「由来する内容」は商品が製造された由来などである。この「関連するストーリ」、「由来する内容」は、商品背景を示す情報である。
【００２４】
「製法」は商品の製造方法である。「国情報」は、商品を販売する国（商品国）を示す情報である。この商品における「国情報」は、商品が販売される地域（リージョン）を示すものであればよく、国に限定しない。例えば、商品情報５２において各商品に設定された「国情報」は、州や郡などの国内における地区であってもよいし、中東、アジア、北米などの国を跨ぐ地域であってもよい。
【００２５】
「原材料」は、商品を構成する原材料である。「認証」は、商品についての認証情報である。例えば、「認証」には、イスラム法上で食べることが許されている食材としての認証である「ハラール」、特定の効能効果を表示することについての認証である「特定保健用食品」などがある。
【００２６】
「商品画像」は、商品の外観を示す画像データである。「類似商品」は、商品に対する類似する商品であり、例えば類似する商品の商品ＩＤが示されている。
【００２７】
関連ストーリ情報５３は、商品ごとに、商品に関連する物語（ストーリ）の詳細を示す情報である。図４は、関連ストーリ情報５３を説明する説明図である。
【００２８】
図４に示すように、関連ストーリ情報５３には、商品の「商品ＩＤ」ごとに、「日本のストーリ」、「米国のストーリ」、「中国のストーリ」…などの商品に関連する各国のストーリが設定されている。なお、図示例では、ストーリのタイトルが示されているが、実際にはタイトルの他にストーリの本文などが設定されている。
【００２９】
具体的には、「商品ＩＤ」が「１２３４５」である日本の商品（図３参照）については、日本において商品に関連する「○×たろう」というストーリが「日本のストーリ」に設定されている。また、同じ商品において「米国のストーリ」には、日本の「○×たろう」というストーリに関連する米国の「鬼とよばれた××提督」というストーリが設定されている。なお、日本の「○×たろう」というストーリに関連する他国のストーリについては、互いに内容が共通するストーリが存在しない場合は、内容が類似するストーリが設定されていてもよい。例えば、「中国のストーリ」には、日本の「○×たろう」というストーリに類似する「中国の鬼退治物語」というストーリが設定されている。
【００３０】
次に、情報処理装置１の取得部１０、商品特定部２０、判定部３０および出力部４０による動作の詳細を説明する。図５は、第１の実施形態にかかる情報処理装置１の動作例を示すフローチャートである。
【００３１】
図５に示すように、処理が開始されると、取得部１０は、ログイン認証などにより認証されたユーザのアカウントを取得する（Ｓ１）。次いで、取得部１０は、ユーザによりカメラ１０６ａ（図１４参照）で撮像された撮像画像を取得する（Ｓ２）。
【００３２】
図６は、商品の撮像を説明する説明図である。図６に示すように、ユーザ２００は、情報処理装置１を商品３００本体や商品３００に添付された商品札３０１に向けて撮像を行う。これにより、取得部１０は、商品３００本体や商品札３０１に記載された商品名、コード情報などの、商品３００を識別可能とする対象を含む撮像画像を得ることができる。
【００３３】
次いで、商品特定部２０は、Ｓ２において取得した撮像画像に含まれる商品３００に対応づいた対象を認識し、認識した対象をもとに商品３００を特定する（Ｓ３）。
【００３４】
図７は、撮像画像を説明する説明図である。図７に示すように、撮像画像４００には、商品３００および商品札３０１が含まれている。商品特定部２０は、公知の画像認識技術を用いて撮像画像４００を解析することで、商品３００本体に対応する対象領域４０１、商品札３０１に記載された商品名称、コード情報に対応する対象領域４０２、４０３などを検出する。
【００３５】
次いで、商品特定部２０は、商品３００本体に対応する対象領域４０１と商品情報５２の「商品画像」とを比較することで、商品画像から商品３００を特定する。また、商品特定部２０は、対象領域４０２を光学文字認識（ＯＣＲ：Optical  Character  Recognition）して得られた商品名称と商品情報５２の「商品名」とを比較することで商品３００を特定してもよい。また、商品特定部２０は、対象領域４０３のコード情報より商品ＩＤを読み取り、商品情報５２の「商品ＩＤ」と比較することで商品３００を特定してもよい。
【００３６】
例えば、図７に例示された撮像画像４００からは、図３に例示した商品情報５２を参照して、「商品ＩＤ」が「１２３４５」、「商品名」が「○×だんご」の商品が特定される。
【００３７】
次いで、判定部３０は、取得したアカウントについてアカウント情報５１の「国籍」に登録されている国籍と、Ｓ３で特定した商品３００について商品情報５２の「国情報」に登録されている商品国とが一致するか否かを判定する（Ｓ４）。
【００３８】
例えば、アカウントの国籍が「日本」であり、商品国が「日本」である場合は一致するものと判定する。また、アカウントの国籍が「中国」であり、商品国が「日本」である場合は一致しないものと判定する。このＳ４における一致／不一致の判定は、完全一致である場合を一致と判定するものであってもよいが、包括関係がある場合は一致と判定するなどの緩い判定であってもよい。一例として、アカウントの国籍が「中国」であり、商品国が「アジア」である場合は、一致と判定してもよい。
【００３９】
アカウントの国籍と商品国とが一致する場合（Ｓ４：ＹＥＳ）、出力部４０は、特定した商品３００について、商品国におけるストーリ、由来、類似商品などの情報を商品情報５２より読み出して表示する（Ｓ５）。
【００４０】
具体的には、出力部４０は、特定した商品３００にかかる「商品名」、「関連するストーリ」、「由来する内容」、「原材料」、「認証」、「類似商品」を商品情報５２より読み出して表示する。
【００４１】
アカウントの国籍と商品国とが一致しない場合（Ｓ４：ＮＯ）、出力部４０は、特定した商品３００について、商品国におけるストーリ、由来、類似商品などの情報を商品情報５２より読み出して表示する。また、出力部４０は、商品国におけるストーリ、由来とともに、アカウントに登録されている国籍において、商品国におけるストーリと関連するストーリを関連ストーリ情報５３より読み出して表示する（Ｓ６）。
【００４２】
例えば、図７に例示された撮像画像４００が撮像され、アカウントの国籍が「米国」であるものとする。この場合、上述したように、図３に例示した商品情報５２において、「商品ＩＤ」が「１２３４５」、「商品名」が「○×だんご」の商品が特定される。この特定された商品の商品国は「日本」であり、アカウントの国籍である「米国」と商品国である「日本」とは一致しない。よって、商品国におけるストーリである「○×たろう」とともに、アカウントに登録されている「米国」において「○×たろう」と関連する「鬼と呼ばれた××提督」（図４参照）が関連ストーリ情報５３より読み出されて表示される。
【００４３】
なお、アカウントの国籍における関連ストーリおよび類似商品については、商品国におけるストーリに含まれるキーワードおよびアカウントの国籍を検索キーとする商品情報５２および関連ストーリ情報５３の全文検索による一致度から求めてよい。
【００４４】
図８は、キーワードおよび国との一致度によるストーリおよび類似商品の検索を説明する説明図である。図８に示すように、アカウントの国籍である「中国」に対応する関連ストーリ情報５３（例えば「中国のストーリ」）の中から、商品国におけるストーリに含まれるキーワード（「家来」、「鬼退治」、「仲間にする」）との一致度合いの高いストーリを抽出してもよい。また、商品国におけるストーリに含まれるキーワードおよびアカウントの国籍を検索キーとする商品情報５２の全文検索により、一致度の高い商品を類似商品として抽出してもよい。
【００４５】
また、アカウントの国籍と商品国とが一致しない場合（Ｓ４：ＮＯ）において出力部４０が表示する類似商品については、アカウントの国籍に対応する類似商品であってもよい。例えば、出力部４０は、商品情報５２の「類似商品」に記述された商品の中からアカウントの国籍に対応する国情報の商品を抽出して表示してもよい。一例として、出力部４０は、アカウントの国籍と類似商品における「国情報」とが一致するものを表示する。これにより、ユーザは、自身のアカウントの国籍における、商品３００についての類似商品を確認することができる。
【００４６】
図９は、表示画面を説明する説明図である。図９に示すように、Ｓ５、Ｓ６において情報処理装置１に表示される表示画面５００は、商品情報５０１、関連ストーリ５０２および類似商品５０３を有する。商品情報５０１は、商品特定部２０により特定された商品３００について商品情報５２の「商品名」、「原材料」、「認証」より読み出されて表示された情報である。類似商品５０３は、商品特定部２０により特定された商品３００について商品情報５２の「類似商品」より読み出されて表示された情報である。
【００４７】
関連ストーリ５０２は、商品特定部２０により特定された商品３００について商品情報５２および関連ストーリ情報５３より読み出されて表示された情報である。例えば、アカウントの国籍と商品国とが一致する場合（Ｓ４：ＹＥＳ）は、商品国におけるストーリが商品情報５２より読み出されて関連ストーリ５０２として表示される。また、アカウントの国籍と商品国とが一致しない場合（Ｓ４：ＮＯ）は、商品国におけるストーリと共に、アカウントに登録されている国籍において、商品国におけるストーリと関連するストーリが関連ストーリ情報５３より読み出されて表示される。ユーザは、表示画面５００上の関連ストーリ５０２を確認することで、商品３００の商品背景を容易に理解することができる。
【００４８】
以上のように、情報処理装置１は、特定のアカウントから撮像画像を取得し、撮像画像に含まれる対象に基づいて、対象に対応する商品３００を特定する。また、情報処理装置１は、特定のアカウントに対応付いた地域情報（例えば「国籍」）と、特定した商品３００に対応付いた地域情報（例えば「商品国」）とが一致するかを判定する。また、情報処理装置１は、一致すると判定された場合、商品３００に対応付いた商品の関連ストーリを出力する。また、情報処理装置１は、一致しないと判定された場合、商品３００に対応付いた商品の関連ストーリと共に、商品３００に対応付いた商品の関連ストーリに類似する関連ストーリであって、特定のアカウントに対応付いた地域情報の関連ストーリを出力する。つまり、情報処理装置１は、ユーザに、商品３００に対する理解を促進する情報を提供することができる。商品３００に対する理解を促進する情報の提供は、ユーザの商品に対する興味や関心を高め、ユーザの商品選択に有効な情報である。
【００４９】
［第２の実施形態］
図１０は、第２の実施形態にかかる情報処理装置の機能構成を例示するブロック図である。図１０に示すように、第２の実施形態にかかる情報処理装置１ａは、取得部１０ａおよび出力部４０ａを有するところが上述した情報処理装置１と異なる。
【００５０】
取得部１０ａは、ＧＰＳ（Global  Positioning  System）などを用いて測定された、情報処理装置１の現在位置を示す位置情報をさらに取得する。
【００５１】
出力部４０ａは、取得部１０ａにより取得した位置情報と、判定部３０による判定結果とをもとに、商品特定部２０により特定された商品についての情報を出力する。
【００５２】
具体的には、出力部４０ａは、判定部３０によりアカウントに対応づいた地域情報と、商品に対応づいた地域情報とが一致しないと判定された場合に、アカウントに対応付いた地域情報、取得部１０ａにより取得した位置情報に対応する国とが一致するか否かを判定する。出力部４０ａは、アカウントに対応付いた地域情報と、位置情報に対応する国とが一致しない際は、商品に対応づいた商品の関連ストーリおよび類似商品と共に、商品の関連ストーリであって、位置情報に対応する国における関連ストーリを関連ストーリ情報５３より読み出して出力する。
【００５３】
図１１は、第２の実施形態にかかる情報処理装置１ａの動作例を示すフローチャートである。図１１に示すように、取得部１０ａは、ＧＰＳなどにより情報処理装置１の位置情報を取得する（Ｓ２ａ）。
【００５４】
出力部４０ａは、アカウントの国籍と商品国とが一致しない場合（Ｓ４：ＮＯ）、アカウントについて登録されている国籍と、取得した位置情報が示す国とが一致するか否かを判定する（Ｓ６ａ）。
【００５５】
アカウントの国籍と位置情報が示す国とが一致する場合（Ｓ６ａ：ＹＥＳ）、出力部４０ａは、商品国におけるストーリ、由来とともに、アカウントに登録されている国籍において、商品国におけるストーリと関連するストーリを関連ストーリ情報５３より読み出して表示する（Ｓ６）。
【００５６】
アカウントの国籍と位置情報が示す国とが一致しない場合（Ｓ６ａ：ＮＯ）、商品国におけるストーリ、由来とともに、位置情報が示す国において、商品国におけるストーリと関連するストーリを関連ストーリ情報５３より読み出して表示する（Ｓ７）。
【００５７】
例えば、図７に例示された撮像画像４００が「中国」で撮像され、アカウントの国籍が「米国」であるものとする。この場合、上述したように、図３に例示した商品情報５２において、「商品ＩＤ」が「１２３４５」、「商品名」が「○×だんご」の商品が特定される。撮像された場所は「中国」であり、アカウントの国籍である「米国」と位置情報が示す国である「中国」とは一致しない。よって、商品国におけるストーリである「○×たろう」とともに、位置情報が示す「中国」において「○×たろう」と関連する「中国の鬼退治物語」（図４参照）が関連ストーリ情報５３より読み出されて表示される。これにより、例えば、商品国とは異なる国であるとともに、ユーザが自身の国籍とは異なる国で商品の紹介を行う場合においても、紹介を行う国の関連ストーリを確認することができる。よって、紹介される人は、商品背景を理解しやすくなる。
【００５８】
［第３の実施形態］
第３の実施形態にかかる情報処理装置（１ｂの符号を付すものとする）は、取得部１０ａにより取得した位置情報をもとに、商品特定部２０により特定された商品についての類似商品を出力する点が第２の実施形態とは異なる。なお、情報処理装置１ｂの機能構成については、第２の実施形態と略同じであるので、説明を省略する。
【００５９】
図１２は、第３の実施形態にかかる情報処理装置１ｂの動作例を示すフローチャートである。図１２に示すように、出力部４０ａは、アカウントの国籍と位置情報が示す国とが一致する場合（Ｓ６ａ：ＹＥＳ）、商品国におけるストーリ、由来とともに、アカウントに登録されている国籍の関連ストーリを関連ストーリ情報５３より読み出して表示する。また、類似商品については、商品国の類似商品を商品情報５２より読み出して表示する（Ｓ６ｂ）。
【００６０】
例えば、出力部４０ａは、商品情報５２の「類似商品」に記述された商品の中から商品国に対応する国情報の商品を抽出して表示する。一例として、商品国が「日本」である場合は、商品情報５２の「類似商品」に記述された商品の中から国情報が「日本」である商品を抽出して表示する。これにより、ユーザは、例えば自国に持ち帰った商品については、商品国での類似商品を確認することができる。
【００６１】
また、出力部４０ａは、アカウントの国籍と位置情報が示す国とが一致しない場合（Ｓ６ａ：ＮＯ）、商品国におけるストーリ、由来とともに、位置情報が示す国において、商品国におけるストーリと関連するストーリを関連ストーリ情報５３より読み出して表示する。また、類似商品については、位置情報が示す国の類似商品を商品情報５２より読み出して表示する（Ｓ７ａ）。
【００６２】
例えば、出力部４０ａは、商品情報５２の「類似商品」に記述された商品の中から位置情報が示す国に対応する国情報の商品を抽出して表示する。一例として、位置情報が示す国が「日本」である場合は、商品情報５２の「類似商品」に記述された商品の中から国情報が「日本」である商品を抽出して表示する。これにより、ユーザは、例えば旅先における類似商品を確認することができる。
【００６３】
なお、図示した各装置の各構成要素は、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００６４】
［第４の実施形態］
例えば、上述した実施形態では情報処理装置１、１ａ、１ｂ単体で実現する装置構成を例示したが、クライアント・サーバ（Ｃ／Ｓ）モデルによる情報処理システムで実現してもよい。図１３は、第４の実施形態にかかる情報処理システムの構成を例示するブロック図である。
【００６５】
図１３に示すように、第４の実施形態にかかる情報処理システムは、インターネットなどの通信ネットワークＮにより互いに通信可能に接続された端末装置１ｃおよびサーバ装置１ｄを有する。サーバ装置１ｄは、取得部１０、商品特定部２０、判定部３０および出力部４０を有する。また、サーバ装置１ｄは、アカウント情報５１、商品情報５２および関連ストーリ情報５３を記憶している。例えば、サーバ装置１ｄは、所定のアカウントでログイン認証を受け付けた端末装置１ｃより撮像画像を取得し、第１、第２、第３の実施形態と同様の処理を行うことで関連ストーリおよび類似商品を端末装置１ｃに提供する。このように、クライアント・サーバ（Ｃ／Ｓ）モデルによる情報処理システムで実現してもよい。
【００６６】
また、表示画面５００における商品情報５０１、関連ストーリ５０２および類似商品５０３などの形状、表示色などのレイアウトは、図示例に限定するものではなく、例えばアイコン画像のような形状としてもよい。
【００６７】
また、取得部１０および商品特定部２０で行われる各種処理機能は、ＣＰＵ（またはＭＰＵ、ＭＣＵ（Micro  Controller  Unit）等のマイクロ・コンピュータ）上で、その全部または任意の一部を実行するようにしてもよい。また、各種処理機能は、ＣＰＵ（またはＭＰＵ、ＭＣＵ等のマイクロ・コンピュータ）で解析実行されるプログラム上、またはワイヤードロジックによるハードウエア上で、その全部または任意の一部を実行するようにしてもよいことは言うまでもない。
【００６８】
ところで、上記の実施形態で説明した各種の処理は、予め用意されたプログラム（関連ストーリ出力制御プログラム）をコンピュータで実行することで実現できる。そこで、以下では、上記の実施例と同様の機能を有するプログラムを実行するコンピュータ（ハードウエア）の一例を説明する。図１４は、実施形態にかかる情報処理装置１、１ａ、１ｂ、端末装置１ｃおよびサーバ装置１ｄのハードウエア構成の一例を示すブロック図である。なお、上記の装置におけるハードウエア構成は略同じであることから、以下では情報処理装置１を例示して説明する。
【００６９】
図１４に示すように、情報処理装置１は、各種演算処理を実行するＣＰＵ１０１と、データ入力を受け付ける入力装置１０２と、モニタ１０３と、スピーカ１０４とを有する。また、情報処理装置１は、記憶媒体からプログラム等を読み取る媒体読取装置１０５と、各種装置と接続するためのインタフェース装置１０６と、有線または無線により外部機器と通信接続するための通信装置１０７とを有する。また、情報処理装置１は、各種情報を一時記憶するＲＡＭ１０８と、ハードディスク装置１０９とを有する。また、情報処理装置１内の各部（１０１〜１０９）は、バス１１０に接続される。
【００７０】
ハードディスク装置１０９には、上記の実施形態で説明した各種の処理を実行するためのプログラム１１１が記憶される。また、ハードディスク装置１０９には、プログラム１１１が参照する各種データ１１２（アカウント情報５１、商品情報５２および関連ストーリ情報５３など）が記憶される。入力装置１０２は、例えば、情報処理装置１の操作者から操作情報の入力を受け付ける。モニタ１０３は、例えば、操作者が操作する各種画面を表示する。インタフェース装置１０６は、例えばカメラ１０６ａ等が接続される。ＣＰＵ１０１は、インタフェース装置１０６に接続されたカメラ１０６ａより撮像画像を取得することができる。
【００７１】
通信装置１０７は、ＬＡＮ（Local  Area  Network）等の通信ネットワークと接続され、通信ネットワークを介した外部機器との間で各種情報をやりとりする。また、通信装置１０７は、ＧＰＳ信号などの情報処理装置１の現在位置を示す情報を受信する。ＣＰＵ１０１は、通信装置１０７が受信するＧＰＳ信号をもとに情報処理装置１の現在位置を示す位置情報を取得することができる。
【００７２】
ＣＰＵ１０１は、ハードディスク装置１０９に記憶されたプログラム１１１を読み出して、ＲＡＭ１０８に展開して実行することで、各種の処理を行う。なお、プログラム１１１は、ハードディスク装置１０９に記憶されていなくてもよい。例えば、情報処理装置１が読み取り可能な記憶媒体に記憶されたプログラム１１１を読み出して実行するようにしてもよい。情報処理装置１が読み取り可能な記憶媒体は、例えば、ＣＤ−ＲＯＭやＤＶＤディスク、ＵＳＢ（Universal  Serial  Bus）メモリ等の可搬型記録媒体、フラッシュメモリ等の半導体メモリ、ハードディスクドライブ等が対応する。また、公衆回線、インターネット、ＬＡＮ等に接続された装置にこのプログラム１１１を記憶させておき、情報処理装置１がこれらからプログラム１１１を読み出して実行するようにしてもよい。
【符号の説明】
【００７３】
１、１ａ、１ｂ…情報処理装置
１ｃ…端末装置
１ｄ…サーバ装置
１０…取得部
１０ａ…取得部
２０…商品特定部
３０…判定部
４０…出力部
４０ａ…出力部
５０…記憶部
５１…アカウント情報
５２…商品情報
５３…関連ストーリ情報
１０１…ＣＰＵ
１０２…入力装置
１０３…モニタ
１０４…スピーカ
１０５…媒体読取装置
１０６…インタフェース装置
１０６ａ…カメラ
１０７…通信装置
１０８…ＲＡＭ
１０９…ハードディスク装置
１１０…バス
１１１…プログラム
１１２…各種データ
２００…ユーザ
３００…商品
３０１…商品札
４００…撮像画像
４０１〜４０３…対象領域
５００…表示画面
５０１…商品情報
５０２…関連ストーリ
５０３…類似商品
Ｎ…通信ネットワーク
【図１】
0006673039.tif 000002
【図２】
0006673039.tif 000003
【図３】
0006673039.tif 000004
【図４】
0006673039.tif 000005
【図５】
0006673039.tif 000006
【図６】
0006673039.tif 000007
【図７】
0006673039.tif 000008
【図８】
0006673039.tif 000009
【図９】
0006673039.tif 000010
【図１０】
0006673039.tif 000011
【図１１】
0006673039.tif 000012
【図１２】
0006673039.tif 000013
【図１３】
0006673039.tif 000014
【図１４】
0006673039.tif 000015